【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
心臓弁の弁輪の形状に影響を及ぼすための移植片システムであって、該移植片システムは、
該輪の長軸に沿って組織を係合するようなサイズおよび構成である、第１の構成要素、および
該第１の構成要素と同時に、該輪の短軸に沿って組織を係合して内側方向に変位させるようなサイズおよび構成である、第２の構成要素、
を備える、移植片システム。
【請求項２】
請求項１に記載の移植片システムであって、前記第１の構成要素が、前記長軸に沿って組織を外側方向に変位させるようなサイズおよび構成である、移植片システム。
【請求項３】
請求項１に記載の移植片システムであって、前記第１の構成要素が、前記長軸に沿って組織を内側方向に変位させるようなサイズおよび構成である、移植片システム。
【請求項４】
請求項１に記載の移植片システムであって、前記第１の構成要素が、前記長軸に沿って組織を安定化させるようなサイズおよび構成である、移植片システム。
【請求項５】
請求項１に記載の移植片システムであって、前記第１の構成要素および第２の構成要素が、別々の構成要素を備える、移植片システム。
【請求項６】
請求項１に記載の移植片システムであって、前記第１の構成要素および第２の構成要素が一体化された本体を備える、移植片システム。
【請求項７】
請求項１に記載の移植片であって、前記第１の構成要素が、圧縮状態にある間に組織を係合するようなサイズおよび構成である、移植片。
【請求項８】
請求項１に記載の移植片であって、前記第２の構成要素が、張力のかかった状態にある間に、組織を係合するようなサイズおよび構成である、移植片。
【請求項９】
請求項１に記載の移植片であって、前記第１の構成要素が、圧縮状態にある間、組織を係合するようなサイズおよび構成であり、そして前記第２の構成要素が張力のかかった状態にある間、組織を係合するようなサイズおよび構成である、移植片。
【請求項１０】
請求項１に記載の移植片であって、前記第１の構成要素および第２の構成要素のうちの少なくとも一方が、ワイヤ形態の構造体を備える、移植片。
【請求項１１】
請求項１に記載の移植片であって、前記第１の構成要素および第２の構成要素の両方が、ワイヤ形態構造体を備える、移植片。
【請求項１２】
請求項１に記載の移植片であって、前記第１の構成要素および第２の構成要素のうちの少なくとも一方が、カテーテル内への配置のために折り畳み可能である、移植片。
【請求項１３】
請求項１に記載の移植片であって、前記第１の構成要素および第２の構成要素の両方が、カテーテル内への配置のために折り畳み可能である、移植片。
【請求項１４】
請求項１に記載の移植片システムであって、前記第１の構成要素が弾性材料を備える、移植片システム。
【請求項１５】
請求項１に記載の移植片システムであって、前記第１の構成要素が、前記輪の弁尖の交連で、弁尖の交連の近くで、または弁尖の交連中で組織を係合する固定要素を備える、移植片システム。
【請求項１６】
請求項１に記載の移植片システムであって、前記第１の構成要素が、前記輪の弁尖の交連の上および弁尖の交連の近くで組織を係合する固定要素を備える、移植片システム。
【請求項１７】
請求項１に記載の移植片システムであって、前記第２の構成要素が弾性材料を備える、移植片システム。
【請求項１８】
請求項１に記載の移植片システムであって、前記第２の構成要素が、前記弁輪で、弁輪の近くで、または弁輪中で組織を係合する固定要素を備える、移植片システム。
【請求項１９】
請求項１に記載の移植片システムであって、前記第２の構成要素が、前記弁輪の上および弁輪の近くで組織を係合する固定要素を備える、移植片システム。
【請求項２０】
心臓弁の弁輪の形状に影響を及ぼすための移植片であって、該移植片は、
心臓弁の弁輪の近くまたは心臓弁の弁輪内で、心腔内に静止するようなサイズおよび構成である、第１の部分、および
該第１の部分に接合され、かつ中隔を通って延びて別の心腔中で静止するようなサイズおよび構成である、第２の部分、
を備える、本体、
を備える、移植片。
【請求項２１】
請求項２０に記載の移植片であって、前記本体が全体として前記弁輪の長軸と整列している、移植片。
【請求項２２】
請求項２１に記載の移植片であって、前記本体が、組織を外側方向に変位させ、前記長軸を長くする、移植片。
【請求項２３】
請求項２１に記載の移植片であって、前記本体が、組織を内側方向に変位させ、前記長軸を短くする、移植片。
【請求項２４】
請求項２１に記載の移植片であって、前記本体が、前記心臓弁の弁輪に隣接する組織を安定化する、移植片。
【請求項２５】
請求項２０に記載の移植片であって、前記本体が、全体として前記弁輪の短軸と整列している、移植片。
【請求項２６】
請求項２５に記載の移植片であって、前記本体が、組織を内側方向に変位させ、前記短軸を短くする、移植片。
【請求項２７】
請求項２５に記載の移植片であって、前記本体が、前記心臓弁の弁輪に隣接する組織を安定化する、移植片。
【請求項２８】
請求項２０に記載の移植片であって、前記第２の部分が、前記中隔に、または該中隔の近くに固定要素を備える、移植片。
【請求項２９】
請求項２０に記載の移植片であって、前記本体が、ワイヤ形態の構造体を備える、移植片。
【請求項３０】
請求項２０に記載の移植片であって、前記本体が、カテーテル内への配置のために折り畳み可能である、移植片。
【請求項３１】
請求項２０に記載の移植片であって、前記本体が弾性材料を備える、移植片。
【請求項３２】
請求項２０に記載の移植片であって、前記第１の部分が、前記弁輪で、該弁輪の近くで、または該弁輪の中で組織を係合する固定要素を備える、移植片。
【請求項３３】
請求項２０に記載の移植片であって、前記第１の部分が、前記弁輪の上でかつ該弁輪の近くで組織を係合する固定要素を備える、移植片。
【請求項３４】
心臓弁の弁輪の形状に影響を及ぼすための移植片システムであって、該移植片システムは、
心臓弁の弁輪の組織中、または心臓弁の弁輪の近くの組織中で静止するようなサイズおよび構成である、第１の磁性または強磁性構成要素、および
該第１の構成要素から間隔を空けて、該心臓弁の弁輪のの組織中、または該心臓弁の弁輪の近くの組織中で静止するようなサイズおよび構成である、第２の磁性構成要素、
を備え、該第１および第２の構成要素は、それらの間に磁場を生成する、移植片システム。
【請求項３５】
請求項３４に記載の移植片システムであって、前記第１および第２の構成要素が、引き付け合う磁場を生成する反対の磁極を備える、移植片システム。
【請求項３６】
請求項３４に記載の移植片システムであって、前記第１の構成要素が、前記第２の構成要素へと引き付けられる軟質強磁性材料を備える、移植片システム。
【請求項３７】
請求項３４に記載の移植片システムであって、前記第１および第２の構成要素が、反発する磁場を生成する同じ磁極を備える、移植片システム。
【請求項３８】
請求項３４に記載の移植片システムであって、前記第１および第２の構成要素が、同じ心腔を占める、移植片システム。
【請求項３９】
請求項３４に記載の移植片システムであって、前記第１および第２の構成要素が、異なる心腔を占める、移植片システム。
【請求項４０】
請求項３４に記載の移植片システムであって、前記第１および第２の構成要素のうちの一方が、冠状静脈洞を占める、移植片システム。
【請求項４１】
請求項３４に記載の移植片システムであって、前記第１および第２の構成要素の少なくとも一方が、保持要素を備える、移植片システム。
【請求項４２】
移植片であって、
磁性または強磁性材料を備える本体であって、該磁性または強磁性材料は、心臓弁の弁輪の組織中、または該心臓弁の弁輪の近くの組織中で静止するようなサイズおよび構成である、本体
を備え、該本体は弁尖保持要素を備える、移植片。
【請求項４３】
移植片であって、
本体であって、該本体は、弁尖の交連を有する心臓弁の輪の近くまたは該輪内に静止するようなサイズおよび構成である、本体、
を備え、該本体は、該弁尖の交連で、または該弁尖の交連の近くで組織と接するための該本体に付随した間隔を空けて離れた支柱を備え、該支柱は、該交連の組織、または該交連の近くの組織に対して引張り力を奏して、該交連で該輪を一緒に押し付け、弁尖の癒合を促進する弾性の顎を備える、移植片。
【請求項４４】
請求項４３に記載の移植片であって、前記本体、前記支柱、および前記顎のうちの少なくとも１つが、ワイヤ形態の構造体を備える、移植片。
【請求項４５】
請求項４３に記載の移植片であって、前記本体、前記支柱、および前記顎が、カテーテル内の配置のために折り畳み可能である、移植片。
【請求項４６】
長軸および短軸を有する心臓弁の弁輪を処置するためのシステムであって、
請求項１に記載の移植片システム、
前記第１の構成要素を、該長軸に沿って、組織と係合するように配置するための手段、および
前記第２の構成要素を、該短軸に沿って、組織と係合するように配置するための手段、
を包含する、システム。
【請求項４７】
心臓弁の弁輪を処置するためのシステムであって、
請求項２０に記載の移植片、
前記第１の部分を、該心臓弁の弁輪の近くまたは該心臓弁の弁輪内に配置するための手段、および
前記第２の部分を、前記中隔を通して別の心臓弁腔中に静止して配置するための手段、
を包含する、システム。
【請求項４８】
心臓弁の弁輪を処置するためのシステムであって、
請求項３４に記載の移植片システム、
前記第１の構成要素を、該心臓弁の弁輪の組織中または該心臓弁の弁輪の近くの組織中に配置するための手段、
前記第２の構成要素を、該心臓弁の弁輪の組織中または該心臓弁の弁輪の近くの組織中に、該第１の構成要素から間隔を空けて配置するための手段であって、該間隔は、該第１の構成要素と該第２の構成要素との間に磁場を生成するに十分である、手段、
を包含する、システム。
【請求項４９】
心臓弁の弁輪を処置するためのシステムであって、
請求項４２に記載の移植片、および
前記本体を、前記弁尖保持要素が心臓弁の弁尖に隣接して置かれるように、心臓弁の弁輪の組織、または該心臓弁の弁輪の近くの組織中に配置するための手段、
を包含する、システム。
【請求項５０】
心臓弁の弁輪を処置するためのシステムであって、
請求項４３に記載の移植片、
前記支柱を弁尖の交連に、または弁尖の交連の近くに配置するための手段、および
前記弾性の顎を、該交連に、または該交連の近くの組織に接触させて配置して、該交連で該輪を一緒に押し付けるための手段、
を包含する、システム。